(57)【要約】【課題】ホッパーへの遊技媒体の投入を規制している計数禁止状態にあることを遊技者に通知する構成を、島設置型や据置型等の装置形態を問わずに実現できるようにした遊技媒体計数装置を提供する。【解決手段】遊技媒体計数装置１Ａは、遊技媒体が投入されるホッパー２Ａと、ホッパー２Ａを構成する一の側面部２２Ａに設けられ、遊技者の行動を誘導する文言が表示された表示面３０Ａを有し、ホッパー２Ａの内部に突出して表示面３０Ａを露出させる開位置と、ホッパー２Ａの側面部２２Ａに退避する閉位置との間で開閉するガイドプレート３Ａを備える。【選択図】図１
2010220804.tif 000002
【特許請求の範囲】
【請求項１】
遊技媒体を計数する遊技媒体計数装置であって、
遊技媒体が投入され、投入された遊技媒体を貯留する空間が形成されたホッパーと、
前記ホッパーを構成する一の側面部に設けられ、前記ホッパーの内部に突出して所定の表示がなされた表示面を露出させる開位置と前記ホッパーの側面部に退避する閉位置との間で開閉するガイドプレートと、
前記ガイドプレートを開位置と閉位置との間で開閉させる駆動源と
を備えたことを特徴とする遊技媒体計数装置。
【請求項２】
閉位置に閉じた前記ガイドプレートは、前記側面部の一部または全部を構成する
ことを特徴とする請求項１記載の遊技媒体計数装置。
【請求項３】
閉位置に閉じた前記ガイドプレートは、前記側面部の高さを超えない大きさを有する
ことを特徴とする請求項２記載の遊技媒体計数装置。
【請求項４】
開位置まで開いた前記ガイドプレートは、前記ホッパーの底面部と接する
ことを特徴とする請求項１〜３のいずれか一項に記載の遊技媒体計数装置。
【請求項５】
開位置まで開いた前記ガイドプレートは、前記ホッパーの底面部に形成された流入口を、前記流入口に遊技媒体が流入可能な流入空間を設けて覆う
ことを特徴とする請求項１〜４のいずれか一項に記載の遊技媒体計数装置。
【請求項６】
前記ガイドプレートは、前記ホッパーの前記側面部に開閉可能に設けられる第一のガイドプレートと、前記ガイドプレートが開位置まで開くと前記第一のガイドプレートから突出して、前記流入口に遊技媒体が流入可能な流入空間を設けて前記流入口を覆い、閉位置まで閉じると前記第一のガイドプレートに収納される第二のガイドプレートとを備えた
ことを特徴とする請求項１〜５のいずれか一項に記載の遊技媒体計数装置。
【請求項７】
前記第二のガイドプレートは、弾性を有する材質で構成される
ことを特徴とする請求項６記載の遊技媒体計数装置。
【発明の詳細な説明】
【技術分野】
【０００１】
本発明は、パチンコ機で使用されるパチンコ玉等の遊技媒体を計数する遊技媒体計数装置に関し、特に、計数禁止時に遊技者の行動を誘導できるようにした遊技媒体計数装置に関する。
【背景技術】
【０００２】
一般に、パチンコ機等の遊技機が設置されるホールには、遊技者が獲得したパチンコ玉等の遊技媒体を計数する遊技媒体計数装置が備えられている。この種の遊技媒体計数装置では、例えばパチンコ玉計数装置の場合、計数対象となるパチンコ玉が投入されるホッパーを備え、ホッパーに投入されたパチンコ玉がホッパー底面の流入口から装置内部に順次流入すると共に、装置内部に流入したパチンコ玉が装置内部の計数部を通過することにより、ホッパーに投入された玉数が計数されるようになっている。
【０００３】
近年、パチンコ玉等の遊技媒体の計数は、遊技場の係員の操作で行われるようになっている。このため、通常はホッパーにカバーを掛けて、遊技媒体計数装置を計数禁止の状態にしておき、遊技者から遊技媒体の計数の依頼があると、係員がカバーを開けて、遊技者から預かった遊技媒体をホッパーに投入していた。
【０００４】
遊技媒体計数装置のホッパーにカバーを掛ける構成では、カバーの脱着や計数時のカバーの保管等、係員の操作に手間がかかる。そこで、ホッパーの上方を開閉可能に覆うカバーを遊技媒体計数装置に設ける技術が提案されている。
【０００５】
このように、ホッパーの上方に開閉可能なカバーを設ける構成としては、遊技媒体計数装置を計数禁止状態とするときは、ホッパーの上方にパチンコ玉の受け入れを規制する伸縮自在な連結部材を扇状に広げて、返却規制部材でホッパーの上方を覆い、計数可能な状態とするときは、返却規制部材を収納してホッパーに対するパチンコ玉の受け入れを許容できるようにした技術が提案されている（例えば、特許文献１参照）。
【０００６】
図１６は、従来の遊技媒体計数装置の外観を示す斜視図である。図１６に示すように、パチンコ玉計数装置である従来の遊技媒体計数装置１０１Ａは、島設置型計数器または縦型計数器等と称される形態で、パチンコ玉が投入されるホッパー１０２と、ホッパー１０２の底面に形成された遊技媒体の流入口１０２ａと、ホッパー１０２の背面側の上部に開閉可能に設けられるガイドプレート１０３を備える。島設置型の遊技媒体計数装置１０１Ａでは、遊技者の操作を誘導する画面等が表示されるディスプレイ及び操作ボタン等を有した操作部１０４Ａが、ホッパー１０２の背面側上部に設けられる。
【０００７】
ガイドプレート１０３は、図示しないモータ等の駆動手段により駆動されて矢印方向に開閉する。遊技媒体計数装置１０１Ａを計数禁止状態とするときは、ガイドプレート１０３を扇状に広げてホッパー１０２を覆う。遊技媒体計数装置１０１Ａを計数可能な状態とするときは、ガイドプレート１０３を畳んでホッパー１０２へのパチンコ玉の投入を阻害しない位置に退避させる。
【０００８】
一方、据置型計数器または横型計数器等と称される形態の遊技媒体計数装置も提案されている（例えば、特許文献２参照）。図１７は、従来の据置型の遊技媒体計数装置の外観を示す斜視図である。図１７に示すように、据置型の従来の遊技媒体計数装置１０１Ｂは、パチンコ玉が投入されるホッパー１０２の側方に操作部１０４Ｂが設けられ、ホッパー１０２の背面側上部には、構造物が存在しない形態である。
【先行技術文献】
【特許文献】
【０００９】
【特許文献１】特開２００２−２１０２１６号公報
【特許文献２】特開２００６−２７１８０３号公報
【発明の概要】
【発明が解決しようとする課題】
【００１０】
従来の遊技媒体計数装置では、遊技媒体が投入されるホッパーの背面側上部に開閉可能なカバーを設けて、ホッパーの上方を覆う構成である。このため、ホッパーの背面側上部に操作部等の構造物が存在する島設置型の遊技媒体計数装置には適用できるが、ホッパーの背面側上部に構造物が存在しない据置型の遊技媒体計数装置には適用できなかった。このため、島設置型の遊技媒体計数装置と据置型の遊技媒体計数装置で異なる構成としなければならず、コストアップの要因となっていた。
【００１１】
また、特許文献１のように、ホッパーの背面側上部で返却規制部材が展開する構成では、返却規制部材がホッパーの上方に露出するので外力が加わりやすく、外力が加わった場合に破損する虞があった。
【００１２】
本発明は、このような問題を解決するためになされたもので、ホッパーへの遊技媒体の投入を規制している計数禁止状態にあることを遊技者に通知する構成を、島設置型や据置型等の装置形態を問わずに実現できるようにした遊技媒体計数装置を提供することを目的とする。
【課題を解決するための手段】
【００１３】
上記目的を達成するため、本発明の遊技媒体計数装置は、遊技媒体を計数する遊技媒体計数装置であって、遊技媒体が投入され、投入された遊技媒体を貯留する空間が形成されたホッパーと、ホッパーを構成する一の側面部に設けられ、ホッパーの内部に突出して所定の表示がなされた表示面を露出させる開位置とホッパーの側面部に退避する閉位置との間で開閉するガイドプレートと、ガイドプレートを開位置と閉位置との間で開閉させる駆動源とを備えたものである。
【発明の効果】
【００１４】
本発明の遊技媒体計数装置によれば、ホッパーへの遊技媒体の投入を規制している計数禁止状態にあることを遊技者に通知する構成を、島設置型や据置型等の装置形態を問わずに実現でき、島設置型と据置型で部品の共通化が可能となって、コストダウンを図ることができる。
【図面の簡単な説明】
【００１５】
【図１】本発明の第一の実施形態に係る遊技媒体計数装置の外観を示す斜視図である。
【図２】本発明の第一の実施形態に係る遊技媒体計数装置の外観を示す斜視図である。
【図３】本発明の第二の実施形態に係る遊技媒体計数装置の外観を示す斜視図である。
【図４】本発明の第二の実施形態に係る遊技媒体計数装置の外観を示す斜視図である。
【図５】本発明の第三の実施形態に係る遊技媒体計数装置の外観を示す斜視図である。
【図６】本発明の第三の実施形態に係る遊技媒体計数装置の内部構成を示す概略断面図である。
【図７】本発明の第三の実施形態に係る遊技媒体計数装置の内部構成を示す概略断面図である。
【図８】ガイドプレートの開閉機構を示す側面図である。
【図９】ガイドプレートの開閉機構を示す側面図である。
【図１０】ガイドプレートの開閉機構の内部構成の一部を示す側面図である。
【図１１】ガイドプレートの開閉機構の内部構成の一部を示す側面図である。
【図１２】ガイドプレートの開閉機構を示す斜視図である。
【図１３】ガイドプレートの開閉機構の内部構成の一部を示す斜視図である。
【図１４】ガイドプレートの開閉機構の動作の一例を示す平面図である。
【図１５】ガイドプレートの開閉機構の動作の一例を示す平面図である。
【図１６】従来の遊技媒体計数装置の外観を示す斜視図である。
【図１７】従来の据置型の遊技媒体計数装置の外観を示す斜視図である。
【発明を実施するための形態】
【００１６】
以下、本発明に係る遊技媒体計数装置の好ましい実施形態について、各図を参照して説明する。
【００１７】
[第一実施形態]
図１及び図２は、本発明の第一の実施形態に係る遊技媒体計数装置の外観を示す斜視図である。図１及び図２に示すように、第一の実施形態に係る遊技媒体計数装置１Ａは、パチンコ機の遊技媒体であるパチンコ玉を計数するためのパチンコ玉計数装置であり、島設置型と称される形態である。
【００１８】
遊技媒体計数装置１Ａは、パチンコ玉が投入されるホッパー２Ａと、ホッパー２Ａの側面に開閉可能に設けられるガイドプレート３Ａを備える。また、遊技媒体計数装置１Ａは、パチンコ玉を遊技者に返還する返却口４Ａと、遊技者の操作を誘導する画面等が表示されるディスプレイ５０及び操作ボタン５１等を有した操作部５Ａ等を備える。
【００１９】
島配置型の遊技媒体計数装置１Ａでは、ホッパー２Ａの背面側の上部に、返却口４Ａと操作部５Ａ等が設けられる。ホッパー２Ａは、底面に形成された流入口２０Ａに向けて傾斜した斜面を有した底面部２１Ａと、所定の高さを有した側面部２２Ａを備える。
【００２０】
ガイドプレート３Ａは、長方形の板状の部品で構成され、ホッパー２Ａの背面側の側面部２２Ａに、下辺側を支点に開閉可能に設けられる。ガイドプレート３Ａは、図示しないモータ等の駆動手段により駆動されて開閉する。
【００２１】
図１では、ガイドプレート３Ａが開位置まで開いた形態を示す。ガイドプレート３Ａが開位置まで開かれると、ガイドプレート３Ａは、側面部２２Ａから流入口２０Ａの上側方向に突出する形態となり、所定の文言が表示された表示面３０Ａが露出する。ガイドプレート３Ａの表示面３０Ａには、「係員をお呼びください」等、遊技者の行動を誘導する文言が表示される。
これにより、別途カバー等を用いることなく、この遊技媒体計数装置１Ａがホッパー２Ａへのパチンコ玉の投入を規制している計数禁止状態にあることを、遊技者に視認させることができる。
【００２２】
また、ガイドプレート３Ａが開位置まで開くと、ガイドプレート３Ａの裏面が、ホッパー２Ａの底面部２１Ａと接する。
これにより、この開位置にあるガイドプレート３Ａの上に、誤ってパチンコ玉が投入されたり、玉箱を置かれても、ガイドプレート３Ａの損傷を防ぐことができる。
さらに、ガイドプレート３Ａが開位置まで開くと、流入口２０Ａにパチンコ玉が流入可能な空間を設けて流入口２０Ａを覆う。図１に示す例では、ガイドプレート３Ａが開位置まで開いた状態で、流入口２０Ａが露出するように、ガイドプレート３Ａの大きさ等が決められている。
これにより、ガイドプレート３Ａが開位置にある計数禁止時に誤ってパチンコ玉が投入された場合に、ガイドプレート３Ａを閉じることなく、投入されたパチンコ玉を装置内部に取り込むことができる。
【００２３】
図２では、ガイドプレート３Ａが閉位置に閉じた形態を示す。ガイドプレート３Ａが閉位置に閉じられると、ガイドプレート３Ａは、表示面３０Ａがホッパー２Ａの側面部２２Ａの裏側を向き、表示面３０Ａの裏面がホッパー２Ａの側面部２２Ａと略同一面となる。
これにより、ガイドプレート３Ａがホッパー２Ａへのパチンコ玉の投入の妨げになることはなく、また、ホッパー２Ａに収容されるパチンコ玉の量を減らすこともない。
さらに、ガイドプレート３Ａが閉位置に閉じられると、側面部２２Ａから上側に突出しないように構成されている。
このように、ガイドプレート３Ａは、ホッパー２Ａの側面部２２Ａが有する高さのみで形成できることから、島設置型や後述の据置型などの遊技媒体計数装置の形態を問わずに設けることができる。
そして、閉位置に閉じた形態におけるガイドプレート３Ａは、ホッパー２Ａの側面部２２Ａの一部を構成するようになっている。
【００２４】
次に、図１及び図２を参照して、第一の実施形態の遊技媒体計数装置１Ａの動作例について説明する。遊技媒体計数装置１Ａを計数禁止とする場合は、図１に示すように、ガイドプレート３Ａが開位置まで開いた状態とする。
【００２５】
ガイドプレート３Ａが開位置に開かれると、遊技者の行動を誘導する文言が表示された表示面３０Ａがホッパー２Ａ内に露出する。これにより、ホッパー２Ａへのパチンコ玉の投入を規制している計数禁止状態にあることを、遊技者に視認させることができる。パチンコ玉の計数に訪れた遊技者は、ガイドプレート３Ａに表示された文言等を見て、操作ボタン５１を押す等の操作で係員を呼ぶ。
【００２６】
遊技者に呼ばれた係員は、リモートコントロール装置等で遊技媒体計数装置１Ａに所定の操作を行うことで、ガイドプレート３Ａを閉じる。図２に示すように、ガイドプレート３Ａが閉位置に閉じられると、ガイドプレート３Ａは、表示面３０Ａの裏面がホッパー２Ａの側面部２２Ａと略同一面となって、ホッパー２Ａへのパチンコ玉の投入を阻害しない位置に退避し、ガイドプレート３Ａがホッパー２Ａの側面部２２Ａの一部を構成する。
【００２７】
これにより、ホッパー２Ａにパチンコ玉を投入可能な状態となり、遊技者または係員は、パチンコ玉をホッパー２Ａに投入する。ホッパー２Ａに投入されたパチンコ玉は、流入口２０Ａから装置内部へ取り込まれ、図示しない計数機構で計数されることになる。
【００２８】
[第二実施形態]
次に、本発明の第二の実施形態に係る遊技媒体計数装置について説明する。
図３及び図４は、本発明の第二の実施形態に係る遊技媒体計数装置の外観を示す斜視図である。図３及び図４に示すように、第二の実施形態に係る遊技媒体計数装置１Ｂは、据置型と称される形態のパチンコ玉計数装置である。
【００２９】
遊技媒体計数装置１Ｂは、パチンコ玉が投入されるホッパー２Ｂと、ホッパー２Ｂの側面に開閉可能に設けられるガイドプレート３Ｂを備える。また、遊技媒体計数装置１Ｂは、遊技者の操作を誘導する画面等が表示されるディスプレイ及び操作ボタン等を有した操作部５Ｂ等を備える。
【００３０】
据置型の遊技媒体計数装置１Ｂでは、ホッパー２Ｂの側部に操作部５Ｂが設けられる。ホッパー２Ｂは、底面に形成された流入口２０Ｂに向けて傾斜した底面部２１Ｂと、所定の高さを有した側面部２２Ｂを備える。図３及び図４に示す据置型の遊技媒体計数装置１Ｂに設けられるホッパー２Ｂと、図１及び図２に示す島配置型の遊技媒体計数装置１Ａに設けられるホッパー２Ａは、通常、ほぼ同じ形状に構成される。
【００３１】
ガイドプレート３Ｂは、長方形の板状の部品で構成され、ホッパー２Ｂの背面側の側面部２２Ｂに、下辺側を支点に開閉可能に設けられる。ガイドプレート３Ｂは、図示しないモータ等の駆動手段により駆動されて開閉する。上述したように、図３及び図４に示す据置型の遊技媒体計数装置１Ｂに設けられるホッパー２Ｂと、図１及び図２に示す島配置型の遊技媒体計数装置１Ａに設けられるホッパー２Ａが、ほぼ同じ形状に構成されることで、据置型の遊技媒体計数装置１Ｂでも、側面部２２Ｂにガイドプレート３Ｂを設けることが可能となる。また、島配置型の遊技媒体計数装置１Ａと同じ大きさ及び同じ駆動機構のガイドプレートを用いることが可能となる。
【００３２】
図３では、ガイドプレート３Ｂが開位置まで開いた形態を示す。ガイドプレート３Ｂが開位置まで開かれると、ガイドプレート３Ｂは、側面部２２Ｂから流入口２０Ｂの上側方向に突出する形態となり、遊技者の行動を誘導する所定の文言が表示された表示面３０Ａが露出する。
これにより、別途カバー等を用いることなく、この遊技媒体計数装置１Ｂがホッパー２Ｂへのパチンコ玉の投入を規制している計数禁止状態にあることを、遊技者に視認させることができる。
【００３３】
また、ガイドプレート３Ｂが開位置まで開くと、ガイドプレート３Ｂの裏面が、ホッパー２Ｂの底面部２１Ｂと接する。
これにより、この開位置にあるガイドプレート３Ｂの上に、誤ってパチンコ玉が投入されたり、玉箱を置かれても、ガイドプレート３Ｂの損傷を防ぐことができる。
さらに、ガイドプレート３Ｂが開位置まで開くと、流入口２０Ｂにパチンコ玉が流入可能な空間を設けて流入口２０Ｂを覆う。
これにより、ガイドプレート３Ｂが開位置にある計数禁止時に誤ってパチンコ玉が投入された場合に、ガイドプレート３Ｂを閉じることなく、投入されたパチンコ玉を装置内部に取り込むことができる。
【００３４】
図４では、ガイドプレート３Ｂが閉位置に閉じた形態を示す。ガイドプレート３Ｂが閉位置に閉じられると、ガイドプレート３Ｂは、表示面３０Ｂがホッパー２Ｂの側面部２２Ｂの裏側を向き、表示面３０Ｂの裏面がホッパー２Ｂの側面部２２Ｂと略同一面となる。
これにより、ガイドプレート３Ｂがホッパー２Ｂへのパチンコ玉の投入の妨げになることはなく、また、ホッパー２Ｂに収容されるパチンコ玉の量を減らすこともない。
さらに、ガイドプレート３Ｂが閉位置に閉じられると、側面部２２Ｂから上側に突出しないように構成されている。
このように、ガイドプレート３Ｂは、ホッパー２Ｂの側面部２２Ｂが有する高さのみで形成できることから、島設置型や据置型などの遊技媒体計数装置の形態を問わずに設けることができる。
そして、閉位置に閉じた形態におけるガイドプレート３Ｂは、ホッパー２Ｂの側面部２２Ｂの一部を構成するようになっている。
【００３５】
次に、図３及び図４を参照して、第二の実施形態の遊技媒体計数装置１Ｂの動作例について説明する。遊技媒体計数装置１Ｂを計数禁止とする場合は、図３に示すように、ガイドプレート３Ｂが開位置まで開いた状態とする。
【００３６】
ガイドプレート３Ｂが開かれると、遊技者の行動を誘導する文言が表示された表示面３０Ｂがホッパー２Ｂ内に露出する。これにより、ホッパー２Ｂへのパチンコ玉の投入を規制している計数禁止状態にあることを、遊技者に視認させることができる。パチンコ玉の計数に訪れた遊技者は、ガイドプレート３Ｂに表示された文言を見て、係員を呼ぶ。
【００３７】
遊技者に呼ばれた係員は、遊技媒体計数装置１Ｂに所定の操作を行うことで、ガイドプレート３Ｂを閉位置に閉じる。図４に示すように、ガイドプレート３Ｂが閉じられると、ガイドプレート３Ｂは、表示面３０Ｂの裏面がホッパー２Ｂの側面部２２Ｂと略同一面となって、ホッパー２Ｂへのパチンコ玉の投入を阻害しない位置に退避し、ガイドプレート３Ｂでホッパー２Ｂの側面部２２Ｂの一部を構成する。
【００３８】
これにより、ホッパー２Ｂにパチンコ玉を投入可能な状態となり、遊技者または係員は、パチンコ玉をホッパー２Ｂに投入する。ホッパー２Ｂに投入されたパチンコ玉は、流入口２０Ｂから装置内部へ取り込まれ、図示しない計数機構で計数される。
【００３９】
以上説明したように、ガイドプレート３Ｂを、ホッパー２Ｂの側面部に開閉可能に設けることで、本実施形態のように、ホッパー２Ｂの上側に構造物の無い据置型の遊技媒体計数装置１Ｂであっても、ガイドプレート３Ｂを設けることができる。
ホッパーの形状は、島設置型である第一の実施形態の遊技媒体計数装置１Ａと、据置型である第二の実施形態の遊技媒体計数装置１Ｂとでは、通常、ほぼ同じ形状であることから、島設置型と据置型の装置でガイドプレートを構成する部品の共通化が図れ、コストダウンを図ることができる。
【００４０】
[第三実施形態]
次に、本発明の第三の実施形態に係る遊技媒体計数装置について説明する。
図５は、本発明の第三の実施形態に係る遊技媒体計数装置の外観を示す斜視図、図６及び図７は、本発明の第三の実施形態に係る遊技媒体計数装置の内部構成を示す概略断面図である。また、図８及び図９は、ガイドプレートの開閉機構の外観を示す側面図である。
【００４１】
図５、図６及び図７、図８及び図９に示すように、第三の実施形態に係る遊技媒体計数装置１Ｃは、島設置型のパチンコ玉計数装置である。なお、第三の実施形態の遊技媒体計数装置は、据置型の形態でも同様に適用できる。遊技媒体計数装置１Ｃは、パチンコ玉Ｂが投入されるホッパー２Ａと、ホッパー２Ａの側面に開閉可能に設けられるガイドプレート３Ｃを備える。島設置型の遊技媒体計数装置１Ｃでは、パチンコ玉を遊技者に返還する返却口４Ａと、遊技者の操作を誘導する画面等が表示されるディスプレイ５０及び操作ボタン５１等を有した操作部５Ａ等が、ホッパー２Ａの背面側の上部に設けられる。
【００４２】
また、遊技媒体計数装置１Ｃは、パチンコ玉Ｂを計数する機構として、ホッパー２Ａの底面に形成された流入口２０Ａに繋がる計数経路２３Ｃと、計数経路２３Ｃを転動するパチンコ玉Ｂの計数や玉詰まり等を検出するためのセンサ２４Ｃと、計数されたパチンコ玉Ｂをパチンコ島に回収する回収口２５Ｃを備える。
【００４３】
ガイドプレート３Ｃは、開閉機構６に駆動されて開閉する。ガイドプレート３Ｃは、ホッパー２Ａの背面側の側面部２２Ａに、軸３１Ｃを支点に開閉可能に設けられる第一のガイドプレート３２Ｃと、第一のガイドプレート３２Ｃが開く動作に連動して第一のガイドプレート３２Ｃから突出し、ホッパー２Ａの流入口２０Ａを覆う第二のガイドプレート３３Ｃを備える。第二のガイドプレート３３Ｃは、塩化ビニール等の弾性を有する樹脂材質で構成される。
【００４４】
図５、図６及び図８に示すように、ガイドプレート３Ｃが開位置まで開かれると、第一のガイドプレート３２Ｃがホッパー２Ａの側面部２２Ａから突出する形態となり、遊技者の行動を誘導する所定の文言が表示された表示面３０Ｃが露出する。
これにより、別途カバー等を用いることなく、この遊技媒体計数装置１Ｃがホッパー２Ｃへのパチンコ玉の投入を規制している計数禁止状態にあることを、遊技者に視認させることができる。
また、ガイドプレート３Ｃが開位置まで開かれると、第一のガイドプレート３２Ｃから第二のガイドプレート３３Ｃが突出して、流入口２０Ａを覆う形態となる。
【００４５】
ガイドプレート３Ｃが開位置まで開かれたときには、第一のガイドプレート３２Ｃの裏面が、ホッパー２Ａの底面部２１Ａと接する。
これにより、この開位置にあるガイドプレート３Ｃの上に、誤ってパチンコ玉が投入されたり、玉箱を置かれても、ガイドプレート３Ｃの損傷を防ぐことができる。
さらに、このとき、第一のガイドプレート３２Ｃから突出した第二のガイドプレート３３Ｃが、流入口２０Ａにパチンコ玉が流入可能な流入空間２０Ｃを設けて流入口２０Ａを覆う。流入空間２０Ｃは、例えば、遊技媒体であるパチンコ玉Ｂ１個分の隙間を有する。
これにより、ガイドプレート３Ｃが開位置にある計数禁止時に誤ってパチンコ玉が投入された場合に、ガイドプレート３Ｃを閉じることなく、投入されたパチンコ玉を装置内部に取り込むことができる。
また、流入口２０Ａを覆う第二のガイドプレート３３Ｃを、弾性を有した材質で構成することで、誤ってパチンコ玉や玉箱が置かれた場合に弾性変形させて、破損を防ぐことができる。
また、第二のガイドプレート３３Ｃにより、流入口２０Ａが視認しずらくなるので、遊技者に更に注意喚起することができる。
【００４６】
図２、図７及び図９に示すように、ガイドプレート３Ｃが閉位置に閉じられると、ガイドプレート３Ｃは、第一のガイドプレート３２Ｃに第二のガイドプレート３３Ｃが収納され、表示面３０Ｃがホッパー２Ａの側面部２２Ａの裏側を向き、表示面３０Ｃの裏面がホッパー２Ａの側面部２２Ａと略同一面となる。
これにより、第一ガイドプレート３２Ｃ及び第二のガイドプレート３３Ｃがホッパー２Ａへのパチンコ玉の投入の妨げになることはなく、また、ホッパー２Ａに収容されるパチンコ玉の量を減らすこともない。
さらに、ガイドプレート３Ｃが閉位置に閉じられると、側面部２２Ａから上側に突出しないように構成されている。
このように、ガイドプレート３Ｃは、ホッパー２Ａの側面部２２Ａが有する高さのみで形成できることから、島設置型や据置型などの遊技媒体計数装置の形態を問わずに設けることができる。
【００４７】
そして、ガイドプレート３Ｃが閉位置に閉じられ、ホッパー２Ａにパチンコ玉を投入可能な状態となると、図７に示すように、ホッパー２Ａに投入されたパチンコ玉Ｂは、流入口２０Ａから装置内部に取り込まれて計数経路２３Ｃを転動して、計数経路２３Ｃを転動するパチンコ玉Ｂがセンサ２４Ｃで計数されて、回収口２５Ｃから図示しないパチンコ島に回収される。
【００４８】
次に、ガイドプレート３Ｃの構成及び動作について説明する。
図１０及び図１１は、ガイドプレートの開閉機構の内部構成の一部を示す側面図である。また、図１２は、ガイドプレートの開閉機構を示す斜視図、図１３は、ガイドプレートの開閉機構の内部構成の一部を示す斜視図である。更に、図１４及び図１５は、ガイドプレートの開閉機構の動作の一例を示す平面図である。
【００４９】
まず、各図を参照して、ガイドプレート３Ｃの開閉機構６について説明する。ガイドプレート３Ｃの開閉機構６は、図１０に示すように、駆動手段としてのモータ６０と、モータ６０の軸に取り付けられた小ギア６１と、小ギア６１とかみ合う大ギア６２と、大ギア６２と連動して回転する開閉アーム６３を備える。
【００５０】
ガイドプレート３Ｃは、図１３に示すように、ホッパー２Ａの側面部２２Ａの裏側に設けられる下部フレーム６４に取り付けられたガイドプレート支持部６４ａに、第一のガイドプレート３２Ｃが軸３１Ｃを支点に回転可能に支持される。第一のガイドプレート３２Ｃは、長方形に形成された箱部３４にカバーが取り付けられ、長手方向の下辺側に軸３１Ｃが設けられる。第一のガイドプレート３２Ｃは、図１２に示すように、カバー面に遊技者の行動を誘導する所定の文言が表示されたプレート３５ａが取り付けられて、表示面３０Ｃを構成する。
【００５１】
モータ６０は、下部フレーム６４に取り付けられたモータ支持部６４ｂに取り付けられる。大ギア６２は、ガイドプレート支持部６４ａとモータ支持部６４ｂに、軸６２ａを支点に回転可能に取り付けられる。大ギア６２の軸６２ａと第一のガイドプレート３２Ｃの軸３１Ｃは、同軸上に配置しない構成である。
【００５２】
開閉アーム６３は、一方の端部が大ギア６２に取り付けられ、大ギア６２の軸６２ａを支点に回転する。開閉アーム６３は、第一のガイドプレート３２Ｃに連結される突起６３ａが他方の端部に設けられる。第一のガイドプレート３２Ｃには、第一のガイドプレート３２Ｃの短手方向の辺に沿って延びる長穴３６が形成され、開閉アーム６３の突起６３ａは、第一のガイドプレート３２Ｃに形成された長穴３６に移動可能に挿入される。
【００５３】
ガイドプレート３Ｃの開閉動作について説明すると、図１１に示すように、閉位置からガイドプレート３Ｃを開く動作では、モータ６０により小ギア６１が矢印ａ１方向に回転すると、小ギア６１とかみ合う大ギア６２が矢印ｂ１方向に回転する。大ギア６２が矢印ｂ１方向に回転すると、開閉アーム６３が、大ギア６２と連動して軸６２ａを支点に矢印ｂ１方向に回転する。
【００５４】
開閉アーム６３が軸６２ａを支点に矢印ｂ１方向に回転すると、開閉アーム６３の他方の端部に形成された突起６３ａが第一のガイドプレート３２Ｃを押す方向に変位する。これにより、ガイドプレート３Ｃは、軸３１Ｃを支点とした回転動作で、第一のガイドプレート３２Ｃが矢印ｃ１方向に開く。上述したように、第一のガイドプレート３２Ｃの軸３１Ｃと、大ギア６２と同軸である開閉アーム６３の軸６２ａは、同軸上に配置していないことで、第一のガイドプレート３２Ｃが開く動作に伴って、開閉アーム６３の突起６３ａが、第一のガイドプレート３２Ｃの長穴３６に沿って矢印ｄ１方向に移動する。
【００５５】
図１０に示すように、開位置からガイドプレート３Ｃを閉じる動作では、モータ６０により小ギア６１が矢印ａ２方向に回転すると、小ギア６１とかみ合う大ギア６２が矢印ｂ２方向に回転する。大ギア６２が矢印ｂ２方向に回転すると、開閉アーム６３が、大ギア６２と連動して軸６２ａを支点に矢印ｂ２方向に回転する。
【００５６】
開閉アーム６３が軸６２ａを支点に矢印ｂ２方向に回転すると、開閉アーム６３の他方の端部に形成された突起６３ａが第一のガイドプレート３２Ｃを引く方向に変位する。これにより、ガイドプレート３Ｃは、軸３１Ｃを支点とした回転動作で、第一のガイドプレート３２Ｃが矢印ｃ２方向に閉じる。第一のガイドプレート３２Ｃが閉じる動作に伴って、開閉アーム６３の突起６３ａが、第一のガイドプレート３２Ｃの長穴３６に沿って矢印ｄ２方向に移動する。ガイドプレート３Ｃが閉位置まで閉じると、下部フレーム６４に取り付けられた上部フレーム６４ｃに当接して、外力が加わっても、閉位置から更に変位しないように構成される。
【００５７】
遊技媒体計数装置１Ｃでは、開閉アーム６３の位置を検出して、ガイドプレート３Ｃの開閉動作を検知する開閉センサ６３ｃを備えている。また、ガイドプレート３Ｃでは、開閉アーム６３の突起６３ａの変位を利用して、第一のガイドプレート３２Ｃの回転動作を、第二のガイドプレート３３Ｃの動作に変換する連動機構７を実現する。
【００５８】
次に、図１４と図１５を参照して、第一のガイドプレート３２Ｃと第二のガイドプレート３３Ｃの動作を連動させる連動機構７について説明すると、連動機構７は、開閉アーム６３の突起６３ａの変位を第二のガイドプレート３３Ｃに伝達する伝達リンク７０を備える。伝達リンク７０は、第一のガイドプレート３２Ｃを構成する箱部３４に設けられた支持部３４ａに、軸７１を支点に回転可能に取り付けられる。
【００５９】
伝達リンク７０は、軸７１を挟んだ一方の端部には、開閉アーム６３の突起６３ａが係止される溝部７０ａが設けられる。また、伝達リンク７０は、軸７１を挟んだ他方の端部には、第二のガイドプレート３３Ｃに連結される突起７０ｂが設けられる。
【００６０】
第二のガイドプレート３３Ｃは、箱部３４に設けられたガイド部３４ｂにガイドされるガイド連結板３７に取り付けられる。ガイド連結板３７には、第二のガイドプレート３３Ｃの移動方向に沿って並列した２本の突起３７ａが設けられる。ガイド部３４ｂには、第二のガイドプレート３３Ｃの移動方向に沿って延びる溝部３４ｃが設けられ、２本の突起３７ａが移動可能に挿入される。これにより、第二のガイドプレート３３Ｃの移動方向は、第一のガイドプレート３２Ｃに対して突出または収納される方向に規制される。
【００６１】
ガイド連結板３７には、第二のガイドプレート３３Ｃの移動方向に対して直交する方向に延びる長穴３７ｂが形成される。伝達リンク７０は、ガイド連結板３７に形成された長穴３７ｂに、突起７０ｂが移動可能に挿入される。
【００６２】
ガイドプレート３Ｃの開閉動作に連動した第二のガイドプレート３３Ｃの突出及び収納動作について、図１４と図１５を参照して説明する。上述したように、第一のガイドプレート３２Ｃが開く動作に伴って、開閉アーム６３の突起６３ａが、第一のガイドプレート３２Ｃの長穴３６に沿って矢印ｄ１方向に移動する。開閉アーム６３の突起６３ａが、第一のガイドプレート３２Ｃに対して矢印ｄ１方向に移動すると、突起６３ａに溝部７０ａが係止された伝達リンク７０が、軸７１を支点に矢印ｅ１方向に回転する。
【００６３】
伝達リンク７０が矢印ｅ１方向に回転すると、伝達リンク７０の他端側の突起７０ｂは、第二のガイドプレート３３Ｃが第一のガイドプレート３２Ｃから突出する方向に回転する。これにより、伝達リンク７０の突起７０ｂが連結された第二のガイドプレート３３Ｃは、第一のガイドプレート３２Ｃのガイド部３４ｂにガイドされて矢印ｆ１方向に変位し、第一のガイドプレート３２Ｃから突出する。
【００６４】
第一のガイドプレート３２Ｃが閉じる動作に伴って、開閉アーム６３の突起６３ａが、第一のガイドプレート３２Ｃの長穴３６に沿って矢印ｄ２方向に移動する。開閉アーム６３の突起６３ａが、第一のガイドプレート３２Ｃに対して矢印ｄ２方向に移動すると、突起６３ａに溝部７０ａが係止された伝達リンク７０が、軸７１を支点に矢印ｅ２方向に回転する。
【００６５】
伝達リンク７０が矢印ｅ２方向に回転すると、伝達リンク７０の他端側の突起７０ｂは、第二のガイドプレート３３Ｃが第一のガイドプレート３２Ｃに引き込まれる方向に回転する。これにより、伝達リンク７０の突起７０ｂが連結された第二のガイドプレート３３Ｃは、第一のガイドプレート３２Ｃのガイド部３４ｂにガイドされて矢印ｆ２方向に変位し、第一のガイドプレート３２Ｃに収納される。
【００６６】
このように、本実施形態では、第一のガイドプレート３２Ｃに収納可能な第二のガイドプレート３３Ｃを備え、この第二のガイドプレート３３Ｃがガイドプレート３Ｃの開く動作に連動して第一のガイドプレート３２Ｃから突出するようになっている。第一及び第二の実施形態で示したガイドプレートでは、その大きさはホッパーの側面部の高さで規制されてしまうが、本実施形態のように構成することで、ホッパー２Ａの側面部２２Ａの２倍弱の長さまで、ガイドプレートの長さを延長することができる。
これにより、ホッパー２Ａの流入口２０Ａが中央付近にあっても、ガイドプレート３Ｃで覆うことができる。
更に、ガイドプレート３Ｃの開閉機構６と、第一のガイドプレート３２Ｃと第二のガイドプレート３３Ｃの動作を連動させる連動機構７を備えることで、ガイドプレート３Ｃの開閉と、第二のガイドプレート３３Ｃの突出及び収納を、単一の駆動源で実現できる。
【００６７】
以上、本発明の遊技媒体計数装置において、好ましい実施形態を示して説明したが、本発明に係る遊技媒体計数装置は、上述した実施形態にのみ限定されるものではなく、本発明の範囲で種々の変更実施が可能であることは言うまでもない。例えば、ガイドプレートの開閉に連動して、第一のガイドプレートに対して第二のガイドプレートを突出及び収納する構成は、ガイドプレートの軸と、ガイドプレートを開閉するアームの軸を異なる位置に配置することで実現したが、他の構成でも良い。
【００６８】
また、本発明の遊技媒体計数装置の一例として、パチンコ玉の計数装置を示したが、本発明はパチンコ玉の計数装置に限らず、遊技メダルやコイン等、他の遊技媒体の計数装置であっても良い。
【産業上の利用可能性】
【００６９】
本発明は、パチンコ玉、メダル等の遊技媒体を計数する遊技媒体計数装置に適用することができる。
【符号の説明】
【００７０】
１Ａ，１Ｂ，１Ｃ  遊技媒体計数装置
２Ａ，２Ｂ  ホッパー
３Ａ，３Ｂ，３Ｃ  ガイドプレート
２０Ａ，２０Ｂ  流入口
２１Ａ，２１Ｂ  底面部
２２Ａ，２２Ｂ  側面部
３０Ａ，３０Ｂ  表示面
３２Ｃ  第一のガイドプレート
３３Ｃ  第二のガイドプレート
【図１】
2010220804.tif 000003
【図２】
2010220804.tif 000004
【図３】
2010220804.tif 000005
【図４】
2010220804.tif 000006
【図５】
2010220804.tif 000007
【図６】
2010220804.tif 000008
【図７】
2010220804.tif 000009
【図８】
2010220804.tif 000010
【図９】
2010220804.tif 000011
【図１０】
2010220804.tif 000012
【図１１】
2010220804.tif 000013
【図１２】
2010220804.tif 000014
【図１３】
2010220804.tif 000015
【図１４】
2010220804.tif 000016
【図１５】
2010220804.tif 000017
【図１６】
2010220804.tif 000018
【図１７】
2010220804.tif 000019